(57)【要約】【課題】時刻修正処理の所要時間を低減可能な電波時計を提供する。【解決手段】電波時計１は、第１送信所Ｐ１により送信され第１時刻データを含む第１信号Ｑ１と、第１送信所Ｐ１と異なる第２送信所Ｐ２により送信され第２時刻データを含む第２信号Ｑ２とを交互に受信する受信部１０と、第１信号Ｑ１から取得される第１時刻データ及び第２信号Ｑ２から取得される第２時刻データを記憶する記憶部２１と、内部時刻を計時する計時部２３と、記憶部２３に記憶された第１時刻データ及び第２時刻データが互いに整合性を有する場合、内部時刻を第２時刻データに基づいて修正する時刻修正部２２とを備える。【選択図】図１
2020144061.tif 000002
【特許請求の範囲】
【請求項１】
第１送信所により送信され第１時刻データを含む第１信号と、前記第１送信所と異なる第２送信所により送信され第２時刻データを含む第２信号とを交互に受信する受信部と、
前記第１信号から取得される前記第１時刻データ及び前記第２信号から取得される前記第２時刻データを記憶する記憶部と、
内部時刻を計時する計時部と、
前記記憶部に記憶された前記第１時刻データ及び前記第２時刻データが互いに整合性を有する場合、前記第２時刻データに基づいて前記内部時刻を修正する時刻修正部と、
を備えることを特徴とする電波時計。
【請求項２】
前記第１信号は、第１搬送周波数を有する第１標準電波であり、
前記第２信号は、前記第１搬送周波数と異なる第２搬送周波数を有する第２標準電波であることを特徴とする請求項１に記載の電波時計。
【請求項３】
前記第１搬送周波数は、４０ｋＨｚであり、
前記第２搬送周波数は、６０ｋＨｚであることを特徴とする請求項２に記載の電波時計。
【請求項４】
前記第１搬送周波数は、６０ｋＨｚであり、
前記第２搬送周波数は、７７．５ｋＨｚであることを特徴とする請求項２に記載の電波時計。
【請求項５】
前記時刻修正部は、前記記憶部に記憶された複数の前記第１時刻データ又は複数の前記第２時刻データのうち、互いに整合性を有する時刻データである整合時刻データの数が３である場合、前記整合時刻データに基づいて前記内部時刻を修正することを特徴とする請求項１乃至４の何れか１項に記載の電波時計。
【請求項６】
前記受信部は、前記第１信号及び前記第２信号のうち、過去に３つの前記整合時刻データが取得された方の受信を先に開始することを特徴とする請求項５に記載の電波時計。
【発明の詳細な説明】
【技術分野】
【０００１】
本発明は、電波時計に関する。
【背景技術】
【０００２】
特許文献１は、同一周波数の電波に含まれる時刻データの間隔が一定であるか否かによって周波数の異なる複数の電波の時刻データの各整合性を判断し、整合性が高い電波の時刻データに基づいて計時手段の時刻データを修正する時刻データ受信装置を開示する。
【先行技術文献】
【特許文献】
【０００３】
【特許文献１】特開２００２−２８６８８２号公報
【発明の概要】
【発明が解決しようとする課題】
【０００４】
しかしながら、特許文献１に記載の技術では、１分毎に送信される同一周波数の時刻データを少なくとも３回受信する必要があるため、時刻データの整合性を判断するのに多くの時間を要する場合がある。
【課題を解決するための手段】
【０００５】
第１態様は、第１送信所により送信され第１時刻データを含む第１信号と、前記第１送信所と異なる第２送信所により送信され第２時刻データを含む第２信号とを交互に受信する受信部と、前記第１信号から取得される前記第１時刻データ及び前記第２信号から取得される前記第２時刻データを記憶する記憶部と、内部時刻を計時する計時部と、前記記憶部に記憶された前記第１時刻データ及び前記第２時刻データが互いに整合性を有する場合、前記第２時刻データに基づいて前記内部時刻を修正する時刻修正部とを備えることを特徴とする電波時計である。
【０００６】
第２態様は、第１態様において、前記第１信号が、第１搬送周波数を有する第１標準電波であり、前記第２信号が、前記第１搬送周波数と異なる第２搬送周波数を有する第２標準電波であることを特徴とする。
【０００７】
第３態様は、第２態様において、前記第１搬送周波数が、４０ｋＨｚであり、前記第２搬送周波数が、６０ｋＨｚであることを特徴とする。
【０００８】
第４態様は、第２態様において、前記第１搬送周波数が、６０ｋＨｚであり、前記第２搬送周波数が、７７．５ｋＨｚであることを特徴とする。
【０００９】
第５態様は、第１乃至第４態様の何れかにおいて、前記時刻修正部が、前記記憶部に記憶された複数の前記第１時刻データ又は複数の前記第２時刻データのうち、互いに整合性を有する時刻データである整合時刻データの数が３である場合、前記整合時刻データに基づいて前記内部時刻を修正することを特徴とする。
【００１０】
第６態様は、第５態様において、前記受信部が、前記第１信号及び前記第２信号のうち、過去に３つの前記整合時刻データが取得された方の受信を先に開始することを特徴とする。
【図面の簡単な説明】
【００１１】
【図１】実施形態に係る電波時計の構成を説明するブロック図。
【図２】実施形態に係る電波時計の記憶部に記憶される時刻データの一例を説明する表。
【図３】実施形態に係る電波時計の動作を説明するフローチャート。
【図４】実施形態の変形例に係る電波時計の動作を説明するフローチャート。
【図５】実施形態の変形例に係る電波時計の記憶部に記憶される時刻データの一例を説明する表。
【発明を実施するための形態】
【００１２】
以下、図面を参照して本発明の実施形態を説明する。図面においては、同一又は類似の要素には同一又は類似の符号をそれぞれ付して、重複する説明を省略する。実施形態は、特許請求の範囲に記載された本発明の内容を以下に限定するものではない。本実施形態で説明される構成の全てが、本発明の必須構成要件であるとは限らない。本発明の技術的思想は、特許請求の範囲に記載された技術的範囲内において、種々の変更を加えることができる。
【００１３】
［電波時計］
図１に示すように、実施形態に係る電波時計１は、電波を受信する受信部１０と、電波時計１の動作に必要な演算を処理する制御装置２０と、時刻を表示する時刻表示部３０と、発振回路４１と、分周回路４２とを備える。電波時計１は、例えば、ユーザーの手首に装着される腕時計である。電波時計１は、他の携帯時計、置時計、壁掛け時計等であってもよい。
【００１４】
受信部１０は、アンテナ１１及び受信回路１２を備える。アンテナ１１は、種々の標準電波等の無線信号を受信する。受信回路１２は、制御装置２０による制御に応じて、アンテナ１１により受信された信号を増幅及び復調することにより時刻データを取得し、制御装置２０に出力する。受信部１０は、第１送信所Ｐ１により送信され第１時刻データを含む第１信号Ｑ１と、第１送信所Ｐ１と異なる第２送信所Ｐ２により送信され、第２時刻データを含む第２信号Ｑ２とを交互に受信する。
【００１５】
第１信号Ｑ１は、第１搬送周波数を有する第１標準電波である。第２信号Ｑ２は、第１搬送周波数と異なる第２搬送周波数を有する第２標準電波である。第１送信所Ｐ１及び第２送信所Ｐ２のそれぞれは、例えば日本の標準電波送信所である。第１信号Ｑ１及び第２信号Ｑ２のそれぞれがＪＪＹ（登録商標）の信号である場合、例えば、第１搬送周波数は４０ｋＨｚであり、第２搬送周波数は６０ｋＨｚである。
【００１６】
制御装置２０は、例えば、記憶部２１と、時刻修正部２２と、計時部２３とを有する。制御装置２０は、中央演算処理装置（ＣＰＵ）、マイクロコントローラー等の処理回路や回路部品等を含み得る。制御装置２０は、例えば、電波時計１の動作に必要な演算を処理するコンピューターシステムを構成する。制御装置２０は、例えば記憶部２１に記憶されるプログラムを実行することにより、実施形態に記載された各機能を実現する。
【００１７】
記憶部２１は、例えば半導体メモリー等の記憶装置である。記憶部２１は、例えば、制御装置２０の処理回路の動作に必要な一連の処理のプログラムや各種データを記憶する、コンピューターにより読み取り可能な記憶媒体である。記憶部２１は、不揮発性の補助記憶装置に限るものでなく、ＣＰＵに内蔵されるレジスターやキャッシュメモリー等の主記憶装置を含み得る。記憶部２１は、一体のハードウェアから構成されてもよく、別個の複数のハードウェアから構成されてもよい。
【００１８】
図２に示すように、記憶部２１は、第１信号Ｑ１から取得される第１時刻データと、第２信号Ｑ２から取得される第２時刻データとが記録される時刻データテーブル２１０を記憶する。受信部１０は、受信処理の開始に応じて、１サイクルにおいて第１信号Ｑ１及び第２信号Ｑ２を順に受信する。即ち、受信部１０は、第１時刻データ及び第２時刻データを交互に取得する。受信部１０による第１信号Ｑ１及び第２信号Ｑ２の受信により、各回のサイクルにおいて第１時刻データ及び第２時刻データが順に制御装置２０に取得され、時刻データテーブル２１０に逐次記録され得る。これにより、記憶部２１は、第１時刻データ及び第２時刻データを循環的に記憶する。
【００１９】
計時部２３は、発振回路４１及び分周回路４２により生成された基準信号に基づいて内部時刻を計時する。発振回路４１は、例えば、水晶振動子に電圧を印加することによって得られる発振信号を分周回路４２に出力する。分周回路４２は、発振回路４１から入力された発振信号を分周することによって得られる、所定の周波数を有する基準信号を計時部２３に出力する。計時部２３は、基準信号に基づいて計時する内部時刻を、時刻修正部２２により修正され得る。
【００２０】
時刻修正部２２は、時刻データテーブル２１０に記録される第１時刻データ及び第２時刻データが互いに整合性を有する場合、計時部２３に計時される内部時刻を、第１時刻データと整合性を有する第２時刻データに基づいて修正する。例えば、受信部１０による受信処理において、第１時刻データ及び第２時刻データは、基準信号に基づいて１分毎に交互に取得される。図２に示す例において、第２回に取得された２つの時刻データのうち、第２時刻データは、第１時刻データの１分後のデータであるため、第２回の第１時刻データ及び第２時刻データは互いに整合性を有する。
【００２１】
なお、本実施形態において「整合性を有する」とは、例えば、特定の複数の時刻データの相互間において、各時刻データが示す時刻間の差と、各時刻データの受信された時刻間の差とが同一であることを意味する。更に、時刻修正部２２は、示す時刻が合理的な時刻データのみを整合性の判定に用いるようにしてもよい。例えば、時刻データが、標準電波において実在しない時刻である２５時を示す場合、時刻修正部２２は、時刻データを合理的でないと判断し、他の時刻データと整合性を有するか否かの判定を実行しない。
【００２２】
時刻修正部２２は、計時部２３により計時される内部時刻を、第１時刻データと整合性を有する第２時刻データに整合する現在時刻に修正する。ここで、「第２時刻データに整合する現在時刻」とは、第１時刻データに整合性を有する第２時刻データの受信された時刻を基準として、第２時刻データが示す時刻と定義するときの、時刻修正部２２が内部時刻を修正する時点における時刻である。なお、第１時刻データ及び第２時刻データが互いに整合性を有する場合、時刻修正部２２が内部時刻を第２時刻データに基づいて修正することは、時刻修正部２２が、内部時刻を、第１時刻データ及び第２時刻データ、又は、第１時刻データに基づいて修正することと等価である。
【００２３】
時刻表示部３０は、計時部２３により計時される内部時刻を表示する。時刻表示部３０は、アナログ式であってもデジタル式であってもよい。アナログ式の場合、時刻表示部３０は、例えば、ステッピングモーター等のアクチュエーター、輪列、指針、文字板等を備える。デジタル式の場合、時刻表示部３０は、液晶ディスプレイ、有機エレクトロルミネッセンスディスプレイ等の表示器、表示器を駆動する駆動回路等を備える。時刻表示部３０は、ユーザーに計時部２３により計時される内部時刻を提示する装置であればどのような構成であってもよい。
【００２４】
［電波時計の動作］
図３のフローチャートを参照して、電波時計１の動作の一例として、電波時計１による時刻修正方法を説明する。以下の一連の処理の実行は、例えば毎日午前２時等、所定のタイミングで開始され得る。
【００２５】
先ず、ステップＳ１０１において、制御装置２０は、第１信号Ｑ１の受信処理を開始する。即ち、受信部１０は、制御装置２０による制御に応じて、第１搬送周波数を有する第１信号Ｑ１をアンテナ１１において受信し、受信回路１２において増幅及び復調することを開始する。
【００２６】
ステップＳ１０２において、制御装置２０は、第１信号Ｑ１から第１時刻データを取得する。即ち、受信部１０は、ステップＳ１０１で第１信号Ｑ１を復調することにより、第１時刻データを取得し、制御装置２０に出力する。これにより制御装置２０は、第１時刻データを取得する。
【００２７】
ステップＳ１０３において、制御装置２０は、ステップＳ１０２で取得した第１時刻データが、時刻データテーブル２１０に記録される第２時刻データの何れかと整合性を有するか否かを判定する。制御装置２０は、第２時刻データと整合性を有する場合、ステップＳ１０８に処理を進め、第２時刻データと整合性を有しない場合、ステップＳ１０４に処理を進める。初回のステップＳ１０３では、未だ時刻データテーブル２１０に第２時刻データが記録されていないため、制御装置２０は、ステップＳ１０４に処理を進めることになる。
【００２８】
ステップＳ１０４において、制御装置２０は、ステップＳ１０１で開始した第１信号Ｑ１の受信処理を終了する。即ち、受信部１０は、制御装置２０による制御に応じて、第１信号Ｑ１の増幅及び復調を終了する。
【００２９】
ステップＳ１０５において、制御装置２０は、第２信号Ｑ２の受信処理を開始する。即ち、受信部１０は、制御装置２０による制御に応じて、第２搬送周波数を有する第２信号Ｑ２をアンテナ１１において受信し、受信回路１２において増幅及び復調することを開始する。
【００３０】
ステップＳ１０６において、制御装置２０は、第２信号Ｑ２から第２時刻データを取得する。即ち、受信部１０は、ステップＳ１０５で第２信号Ｑ２を復調することにより第２時刻データを取得し、制御装置２０に出力する。これにより制御装置２０は、第２時刻データを取得する。
【００３１】
ステップＳ１０７において、制御装置２０は、ステップＳ１０６で取得した第２時刻データが、時刻データテーブル２１０に記録される第１時刻データの何れかと整合性を有するか否かを判定する。初回のステップＳ１０７では、時刻データテーブル２１０に、ステップＳ１０２で取得した１つの第１時刻データのみが記録されるため、制御装置２０は、ステップＳ１０６で取得した第２時刻データがこの第１時刻データと整合性を有するか否かを判定する。制御装置２０は、第１時刻データと整合性を有する場合、ステップＳ１０８に処理を進め、第１時刻データと整合性を有しない場合、ステップＳ１０９に処理を進める。
【００３２】
ステップＳ１０８において、制御装置２０は、受信成功処理を実行する。即ち、ステップＳ１０３又はステップＳ１０７で互いに整合性を有すると判定された第１時刻データ及び第２時刻データのうち、例えば第２時刻データに基づいて、計時部２３により計時される内部時刻を修正する。即ち、制御装置２０は、内部時刻を、第１時刻データと整合性を有する第２時刻データに整合する現在時刻に修正し、時刻修正処理を完了したとして一連の処理を終了する。
【００３３】
ステップＳ１０９において、制御装置２０は、初回のステップＳ１０１における受信処理の開始から、所定数の時刻データを取得したか否かを判定する。言い換えると、制御装置２０は、時刻データテーブル２１０に蓄積された第１時刻データ及び第２時刻データの総数が、所定数であるか否かを判定する。所定数は例えば１０である。制御装置２０は、所定数の時刻データを取得した場合、ステップＳ１１０に処理を進め、所定数の時刻データを未だ取得していない場合、ステップＳ１１１に処理を進める。
【００３４】
ステップＳ１１０において、制御装置２０は、受信失敗処理を実行する。制御装置２０は、ステップＳ１０５で開始した第２信号Ｑ２の受信処理を終了させる。即ち、受信部１０は、制御装置２０による制御に応じて、第２信号Ｑ２の増幅及び復調を終了する。制御装置２０は、一連の処理を再試行するタイミングまで待機状態に移行し、一連の処理を終了する。
【００３５】
ステップＳ１１１において、制御装置２０は、ステップＳ１０５で開始した第２信号Ｑ２の受信処理を終了する。即ち、受信部１０は、制御装置２０による制御に応じて、第２信号Ｑ２の増幅及び復調を終了し、ステップＳ１０１に処理を戻す。
【００３６】
以上のように、電波時計１は、第１信号Ｑ１及び第２信号Ｑ２を交互に受信し、第１時刻データ及び第２時刻データが互いに整合性を有することを確認した時点で、内部時刻を修正する。即ち、電波時計１では、異なる２つの送信所からそれぞれ取得した時刻データであるにも関わらず、第１及び第２時刻データが互いに整合性を有する場合、第１及び第２時刻データが高い信頼度を有するものとみなし、時刻修正に採用する。このため、電波時計１は、第１信号Ｑ１及び第２信号Ｑ２を受信できる位置にあり、第１回のサイクルにおいて互いに整合性を有する第１及び第２時刻データを取得する場合、最短２分程度で時刻修正処理を完了できる。このように、電波時計１によれば、時刻修正処理の所要時間を低減することが可能である。
【００３７】
なお、図２に示す例では、第２回のサイクルにおいて、互いに整合性を有する第１時刻データ及び第２時刻データが時刻データテーブル２１０に記録される。この場合、第２回において第２時刻データが時刻データテーブル２１０に記録された後、第３回のサイクルに移行して再度第１時刻データを取得することなく、ステップＳ１０８の受信成功処理が実行される。このため、図２では第３回以降の時刻データが図示されるが、正確には第３回以降の時刻データは時刻データテーブル２１０に記録されない。図３に示す一連の時刻修正処理の開始から完了までの所要時間は４分程度となる。
【００３８】
［変形例］
以下、図４のフローチャートを参照して、実施形態の変形例を説明する。実施形態の変形例において、電波時計１は、それぞれ複数の第１時刻データ又は第２時刻データのうち、互いに整合性を有する時刻データが存在する場合も時刻修正を実行する点で上述の実施形態と異なる。図４のステップＳ２０１及びＳ２０２の処理は、図３のステップＳ１０１及びＳ１０２の処理と同様であるため、重複する説明を省略する。
【００３９】
ステップＳ２０３において、制御装置２０は、ステップＳ２０２で取得した第１時刻データが、時刻データテーブル２１０に記録される第２時刻データの何れかと整合性を有するか否かを判定する。制御装置２０は、第２時刻データと整合性を有する場合、ステップＳ２１０に処理を進め、第２時刻データと整合性を有しない場合、ステップＳ２０４に処理を進める。初回のステップＳ２０３では、未だ時刻データテーブル２１０に第２時刻データが記録されていないため、制御装置２０は、ステップＳ２０４に処理を進めることになる。
【００４０】
ステップＳ２０４において、制御装置２０は、時刻データテーブル２１０に記憶される第１整合時刻データの数が３であるか否かを判定する。ここで、第１整合時刻データとは、複数の第１時刻データのうち互いに整合性を有する第１時刻データを意味する。第１整合時刻データの数が３である場合、ステップＳ２１０に処理を進め、第１整合時刻データの数が３でない場合、ステップＳ２０５に処理を進める。初回のステップＳ２０４では、未だ時刻データテーブル２１０に複数の第１時刻データが記録されていないため、制御装置２０は、ステップＳ２０５に処理を進めることになる。
【００４１】
ステップＳ２０５〜Ｓ２０７の処理は、それぞれ図３のステップＳ１０４〜Ｓ１０６の処理と実質的に同様であるため、重複する説明を省略する。
【００４２】
ステップＳ２０８において、制御装置２０は、ステップＳ２０７で取得した第２時刻データが、時刻データテーブル２１０に記録される第１時刻データの何れかと整合性を有するか否かを判定する。初回のステップＳ２０８では、時刻データテーブル２１０に、ステップＳ２０２で取得した１つの第１時刻データのみが記録されるため、制御装置２０は、ステップＳ２０７で取得した第２時刻データがこの第１時刻データと整合性を有するか否かを判定する。制御装置２０は、第１時刻データと整合性を有する場合、ステップＳ２１０に処理を進め、第１時刻データと整合性を有しない場合、ステップＳ２０９に処理を進める。
【００４３】
ステップＳ２０９において、制御装置２０は、時刻データテーブル２１０に記憶される第２整合時刻データの数が３であるか否かを判定する。ここで、第２整合時刻データとは、複数の第２時刻データのうち互いに整合性を有する第２時刻データを意味する。第２整合時刻データの数が３である場合、ステップＳ２１０に処理を進め、第２整合時刻データの数が３でない場合、ステップＳ２１１に処理を進める。初回のステップＳ２０９では、未だ時刻データテーブル２１０に複数の第２時刻データが記録されていないため、制御装置２０は、ステップＳ２１１に処理を進めることになる。
【００４４】
ステップＳ２１０において、制御装置２０は、受信成功処理を実行する。ステップＳ２０３又はステップＳ２０８で互いに整合性を有すると判定された第１時刻データ及び第２時刻データ、又は、第１整合時刻データ若しくは第２整合時刻データに基づいて、計時部２３により計時される内部時刻を修正する。即ち、制御装置２０は、内部時刻を、他の時刻データと整合性を有する時刻データに整合する現在時刻に修正し、一連の処理を終了する。
【００４５】
ステップＳ２１１において、制御装置２０は、初回のステップＳ２０１における受信処理の開始から、所定数の時刻データを取得したか否かを判定する。言い換えると、制御装置２０は、時刻データテーブル２１０に蓄積された第１時刻データ及び第２時刻データの総数が、所定数であるか否かを判定する。制御装置２０は、所定数の時刻データを取得した場合、ステップＳ２１２に処理を進め、所定数の時刻データを未だ取得していない場合、ステップＳ２１３に処理を進める。
【００４６】
ステップＳ２１２において、制御装置２０は、受信失敗処理を実行する。制御装置２０は、ステップＳ２０６で開始した第２信号Ｑ２の受信処理を終了させる。即ち、受信部１０は、制御装置２０による制御に応じて、第２信号Ｑ２の増幅及び復調を終了する。制御装置２０は、一連の処理を再試行するタイミングまで待機状態に移行し、一連の処理を終了する。
【００４７】
ステップＳ２１３において、制御装置２０は、ステップＳ２０６で開始した第２信号Ｑ２の受信処理を終了する。即ち、受信部１０は、制御装置２０による制御に応じて、第２信号Ｑ２の増幅及び復調を終了し、ステップＳ２０１に処理を戻す。
【００４８】
例えば図５に示すように、図４のフローチャートに示す一連の処理において、第１時刻データ及び第２時刻データを順に取得する処理を５回繰り返すことにより、合計１０の時刻データが時刻データテーブル２１０に記録される。図５に示す例において、第１回、第３回及び第５回において取得された各第２時刻データが、互いに整合性を有する整合時刻データである。この場合、時刻修正部２２は、ステップＳ２０９において整合時刻データの数が３であると判定し、ステップＳ２１０において、内部時刻を整合時刻データに基づいて修正する。
【００４９】
このように、実施形態の変形例によれば、第１時刻データ及び第２時刻データが互いに整合性を有しない場合であっても、複数の第１時刻データ又は複数の第２時刻データにおいて、互いに整合性を有する所定数の整合時刻データが存在する場合、整合時刻データに基づいて時刻修正を実行することができる。このため、電波時計１は、互いに整合性を有する時刻データに基づく時刻修正処理が成功する確率を向上することができる。
【００５０】
更に、図５に示す例のように、それぞれ第２時刻データとして互いに整合性を有する時刻データが取得された場合、次回の時刻修正処理において、第２信号から先に受信処理を開始するようにしてもよい。このように、第１信号Ｑ１及び第２信号Ｑ２のうち、過去に３つの整合時刻データが取得された方の信号の受信を先に開始することにより、時刻修正処理の所要時間を低減する可能性を向上できる。
【００５１】
［他の実施形態］
以上のように実施形態を説明したが、本発明はこれらの開示に限定されるものではない。各部の構成は、同様の機能を有する任意の構成に置換されてよく、また、本発明の技術的範囲内において、各実施形態における任意の構成が省略されたり追加されたりしてもよい。このように、これらの開示から当業者には様々な代替の実施形態が明らかになる。
【００５２】
例えば、第１送信所Ｐ１及び第２送信所Ｐ２のそれぞれは、日本のＪＪＹに限るものでなく、英国のＭＳＦ、ドイツのＤＣＦ７７、米国のＷＷＶＢ等であってもよい。第１送信所Ｐ１がＭＳＦであり、第２送信所Ｐ２がＤＣＦ７７である場合、第１信号Ｑ１の第１搬送周波数は６０ｋＨｚであり、第２信号Ｑ２の第２搬送周波数は７７．５ｋＨｚである。この場合も上述の実施形態と同様に、電波時計１は、第１信号Ｑ１及び第２信号Ｑ２を受信できる位置にあるとき、最短２分程度で時刻修正処理を完了することができる。
【００５３】
その他、上述の各構成を相互に応用した構成等、本発明は以上に記載しない様々な実施形態を含むことは勿論である。本発明の技術的範囲は、上記の説明から妥当な特許請求の範囲に係る発明特定事項によってのみ定められるものである。
【００５４】
以下に、上述した実施形態から導き出される内容を、各態様として記載する。
【００５５】
第１態様は、第１送信所により送信され第１時刻データを含む第１信号と、前記第１送信所と異なる第２送信所により送信され第２時刻データを含む第２信号とを交互に受信する受信部と、前記第１信号から取得される前記第１時刻データ及び前記第２信号から取得される前記第２時刻データを記憶する記憶部と、内部時刻を計時する計時部と、前記記憶部に記憶された前記第１時刻データ及び前記第２時刻データが互いに整合性を有する場合、前記第２時刻データに基づいて前記内部時刻を修正する時刻修正部とを備えることを特徴とする電波時計である。
【００５６】
第１態様によれば、互いに異なる送信所から取得された第１時刻データ及び第２時刻データが互いに整合性を有する場合、第１時刻データ及び第２時刻データが高い信頼性を有するものとみなして時刻修正を実行する。このため、電波時計が第１信号及び第２信号を受信できる場合、時刻修正処理の所要時間を低減することが可能である。
【００５７】
第２態様は、第１態様において、前記第１信号が、第１搬送周波数を有する第１標準電波であり、前記第２信号が、前記第１搬送周波数と異なる第２搬送周波数を有する第２標準電波であることを特徴とする。
【００５８】
第２態様によれば、異なる周波数の信号を受信することにより、異なる送信所から送信された信号を受信することが実現可能となり、互いに整合性を有する時刻データを、高い信頼性を有するものとみなすことができる。
【００５９】
第３態様は、第２態様において、前記第１搬送周波数が、４０ｋＨｚであり、前記第２搬送周波数が、６０ｋＨｚであることを特徴とする。
【００６０】
第３態様によれば、電波時計が日本のＪＪＹの２種類の信号を受信できる場所に位置する場合、時刻修正処理の所要時間を低減することが可能である。
【００６１】
第４態様は、第２態様において、前記第１搬送周波数が、６０ｋＨｚであり、前記第２搬送周波数が、７７．５ｋＨｚであることを特徴とする。
【００６２】
第４態様によれば、電波時計がヨーロッパのＭＳＦの信号及びＤＣＦ７７の信号を受信できる場所に位置する場合、時刻修正処理の所要時間を低減することが可能である。
【００６３】
第５態様は、第１乃至第４態様の何れかにおいて、前記時刻修正部が、前記記憶部に記憶された複数の前記第１時刻データ又は複数の前記第２時刻データのうち、互いに整合性を有する時刻データである整合時刻データの数が３である場合、前記整合時刻データに基づいて前記内部時刻を修正することを特徴とする。
【００６４】
第５態様によれば、第１時刻データ及び第２時刻データが互いに整合性を有しない場合であっても、複数の第１時刻データ又は複数の第２時刻データにおいて、互いに整合性を有する３つの時刻データが存在すれば、時刻修正を実施することができる。このため、電波時計は、時刻修正処理が成功する確率を向上することができる。
【００６５】
第６態様は、第５態様において、前記受信部が、前記第１信号及び前記第２信号のうち、過去に３つの前記整合時刻データが取得された方の受信を先に開始することを特徴とする。
【００６６】
第６態様によれば、第１時刻データ及び第２時刻データが互いに整合性を有しない場合であっても、時刻修正処理の所要時間が不要に長くなることを抑制できる。
【符号の説明】
【００６７】
１…電波時計、１０…受信部、１１…アンテナ、１２…受信回路、２０…制御装置、２１…記憶部、２２…時刻修正部、２３…計時部、３０…時刻表示部、４１…発振回路、４２…分周回路、２１０…時刻データテーブル、Ｐ１…第１送信所、Ｐ２…第２送信所、Ｑ１…第１信号、Ｑ２…第２信号。
【図１】
2020144061.tif 000003
【図２】
2020144061.tif 000004
【図３】
2020144061.tif 000005
【図４】
2020144061.tif 000006
【図５】
2020144061.tif 000007